(57)【要約】【課題】カメラ付き携帯電話レンズ方向転換装置の提供。【解決手段】本発明はカメラ付き携帯電話レンズ方向転換装置に関するものであり、特に、カメラ付き携帯電話の機体に、前後貫通する収納部を設け、収納部の前後端開口にそれぞれ透明窓を固定、収納部内にはレンズホルダーを内蔵、レンズホルダー側面には撮影用のレンズを固着、レンズホルダーは駆動部によって動かされて回転し、レンズは透明窓を通って携帯電話の前端もしくは後端に向けられる。レンズは携帯電話機体内に隠されており、駆動されるレンズの方向、即ち携帯電話の前端もしくは後端を選択することにより、使用者は前方被写体の撮影もしくは自分の撮影ができる。【選択図】図６
2006323372.tif 000002
【特許請求の範囲】
【請求項１】
携帯電話の機体に前後に貫通した収納部を設け、収納部の前後端口にそれぞれ透明窓を具え、また、収納部は、レンズホルダー、駆動部、定位部の構成要素を含み、該レンズホルダーは、収納部内に枢設され側面に撮影用カメラを具えたもので、駆動部は、レンズホルダーを駆動してそれを回転させ、レンズを携帯電話正面の透明窓もしくは携帯電話背面の透明窓に向けさせるもので、定位部は、レンズホルダーを回転停止させる場合即刻制動することを特徴とするカメラ付き携帯電話レンズ方向転換装置。
【請求項２】
駆動部は、レンズホルダーの軸棒に固着するウォームホイールを含み、モーター及びモーターに駆動される円筒ウォームを具え、円筒ウォームとウォームホイールは噛合状態を維持し、モーターの動作は携帯電話パネル上のキーにより制御され、これにより、電動方式でレンズホルダーの回転及び停止を制御することを特徴とする請求項１記載のカメラ付き携帯電話レンズ方向転換装置。
【請求項３】
駆動部は手動式であり、即ちレンズホルダーの軸棒には機体外から可動する可動部を固着、手を使って可動部を回転させることにより、レンズホルダーの回転を制御することを特徴とする請求項１記載のカメラ付き携帯電話レンズ方向転換装置。
【請求項４】
駆動部は手動式であり、即ちレンズホルダーの軸棒には可動歯車を固着、可動歯車の一部歯車面は携帯電話機体の外側に延伸している為、機体外から歯車を動かしてレンズホルダーを駆動回転させることを特徴とする請求項１記載のカメラ付き携帯電話レンズ方向転換装置。
【請求項５】
定位部は、補助歯車を含み、その補助歯車はレンズホルダーの軸棒と固着し、補助歯車側面には弾性引掛部品を固設、その弾性引掛部品には突出した突出部を突設、補助歯車と噛合させ、レンズホルダーが停止すると、弾性引掛部品と補助歯車は噛合状態となり定位を制動することを特徴とする請求項１記載のカメラ付き携帯電話レンズ方向転換装置。
【請求項６】
レンズホルダーの側面には制動体を設け、レンズが回転移動する場合の極限の位置制限用とすることを特徴とする請求項１記載のカメラ付き携帯電話レンズ方向転換装置。
【請求項７】
レンズホルダーの側面にはセンサーを設けることも可能であり、携帯電話機体内部、及びレンズホルダーの回転する道筋の制動点に相互感知するセンサーを取り付け、この二つのセンサーが接近した場合、駆動部は制動されることを特徴とする請求項２記載のカメラ付き携帯電話レンズ方向転換装置。
【発明の詳細な説明】
【技術分野】
【０００１】
本発明は、カメラ付き携帯電話レンズ方向転換装置に関するものであり、特にレンズを携帯電話に内蔵し、並びにレンズを携帯電話正面に向けると自分を撮影でき、背面に向けると前方被写体を撮影できるカメラ付き携帯電話レンズ方向転換装置である。
【背景技術】
【０００２】
従来のカメラ機能のある第一種非折り畳み式携帯電話は、レンズが固定式であり、これは図１、２に示すとおりである。携帯電話背面に位置するレンズ１０は、使用者が携帯電話を手に持って、レンズ１０を前方に焦点を合わせ、モニター１１に向かうと、レンズ１０が捉えた対象がモニター１１上に現れ、使用者は写真画像をとても便利に撮ることができる。自分を撮影する場合、鏡に頼らねばならず、携帯電話背面のレンズ１０を鏡に映った自分に焦点を合わせて撮影するものであり、自分を撮影する機能においては不便極まりない。
【０００３】
図３、図４に示す第二種非折り畳み式カメラ付き携帯電話は、携帯電話上端に切り口１２を具え、その切り口１２内にレンズホルダー１３を嵌入、レンズホルダー１３両側端と切り口１２内側面を枢軸１３０によって枢着、可動するレンズホルダー１３によってレンズ１０は携帯電話前端もしくは後端に向きを変え、レンズ１０が前方を向いている場合、使用者は自分を撮影することができる。その正面上端にレンズホルダー１３を設けている為、切り口１２が存在してしまい、切り口１２が携帯電話正面にある場合、携帯電話全体の美観及び質感に影響を及ぼすという欠点がある。
【発明の開示】
【発明が解決しようとする課題】
【０００４】
上記課題を解決するために、本発明のカメラ付き携帯電話レンズ方向転換装置は、非折り畳み式カメラ付き携帯電話の前端もしくは後端に方向転換して使用するレンズの提案を主目的とし、レンズは携帯電話内側に隠され、携帯電話表面の完全な美観を維持するカメラ付き携帯電話レンズ方向転換装置である。
【０００５】
本発明の主特徴は、カメラ付き携帯電話の機体の前方、後方に貫通する収納部の前、後端開口それぞれに透明窓を固着する。収納部間内にはレンズホルダーを設置、レンズホルダー側面にはカメラ用レンズを固着、レンズホルダーは駆動部に駆動され、その駆動部がレンズホルダーを回転させることにより、レンズは透明窓を通って携帯電話の前端もしくは後端に向けられる。レンズは携帯電話内に隠されており、可動するレンズの方向を携帯電話前端にするか後端にするかを選択することで、使用者は前方被写体の撮影もしくは自分の撮影ができる。
【課題を解決するための手段】
【０００６】
請求項１の発明は、携帯電話の機体に前後に貫通した収納部を設け、収納部の前後端口にそれぞれ透明窓を具え、また、収納部は、レンズホルダー、駆動部、定位部の構成要素を含み、該レンズホルダーは、収納部内に枢設され側面に撮影用カメラを具えたもので、駆動部は、レンズホルダーを駆動してそれを回転させ、レンズを携帯電話正面の透明窓もしくは携帯電話背面の透明窓に向けさせるもので、定位部は、レンズホルダーを回転停止させる場合即刻制動することを特徴とするカメラ付き携帯電話レンズ方向転換装置としている。
請求項２の発明は、駆動部は、レンズホルダーの軸棒に固着するウォームホイールを含み、モーター及びモーターに駆動される円筒ウォームを具え、円筒ウォームとウォームホイールは噛合状態を維持し、モーターの動作は携帯電話パネル上のキーにより制御され、これにより、電動方式でレンズホルダーの回転及び停止を制御することを特徴とする請求項１記載のカメラ付き携帯電話レンズ方向転換装置としている。
請求項３の発明は、駆動部は手動式であり、即ちレンズホルダーの軸棒には機体外から可動する可動部を固着、手を使って可動部を回転させることにより、レンズホルダーの回転を制御することを特徴とする請求項１記載のカメラ付き携帯電話レンズ方向転換装置としている
請求項４の発明は、駆動部は手動式であり、即ちレンズホルダーの軸棒には可動歯車を固着、可動歯車の一部歯車面は携帯電話機体の外側に延伸している為、機体外から歯車を動かしてレンズホルダーを駆動回転させることを特徴とする請求項１記載のカメラ付き携帯電話レンズ方向転換装置としている。
請求項５の発明は、定位部は、補助歯車を含み、その補助歯車はレンズホルダーの軸棒と固着し、補助歯車側面には弾性引掛部品を固設、その弾性引掛部品には突出した突出部を突設、補助歯車と噛合させ、レンズホルダーが停止すると、弾性引掛部品と補助歯車は噛合状態となり定位を制動することを特徴とする請求項１記載のカメラ付き携帯電話レンズ方向転換装置としている。
請求項６の発明は、レンズホルダーの側面には制動体を設け、レンズが回転移動する場合の極限の位置制限用とすることを特徴とする請求項１記載のカメラ付き携帯電話レンズ方向転換装置としている。
請求項７の発明は、レンズホルダーの側面にはセンサーを設けることも可能であり、携帯電話機体内部、及びレンズホルダーの回転する道筋の制動点に相互感知するセンサーを取り付け、この二つのセンサーが接近した場合、駆動部は制動されることを特徴とする請求項２記載のカメラ付き携帯電話レンズ方向転換装置としている。
【発明の効果】
【０００７】
本発明はカメラ付き携帯電話レンズ方向転換装置、カメラ付き携帯電話の機体の前方、後方に貫通する収納部の前、後端開口それぞれに透明窓を固着する。収納部間内にはレンズホルダーを設置、レンズホルダー側面にはカメラ用レンズを固着、レンズホルダーは駆動部に駆動され、その駆動部がレンズホルダーを回転させることにより、レンズは透明窓を通って携帯電話の前端もしくは後端に向けられる。レンズは携帯電話内に隠されており、可動するレンズの方向を携帯電話前端にするか後端にするかを選択することで、使用者は前方被写体の撮影もしくは自分の撮影ができる。
【発明を実施するための最良の形態】
【０００８】
図５〜７に示すとおり、本考案は、カメラ付き携帯電話２０の機体上に前、後に貫通した収納部２１を設け、その収納部２１の前後端口にはそれぞれ透明窓２２を具える（図５参照）。収納部２１は、以下の構成要素を含む。
【０００９】
レンズホルダー３０（図６参照）は、上下端にそれぞれ上軸棒３１、下軸棒３２を突設し、それぞれ支えられている上軸棒３１、下軸棒３２は、レンズホルダー３０を収納部２１内に枢設するものであり、レンズホルダー３０の一側面には撮影用のレンズ３３を固着、また、対称とする側面には電話が来た時に発光可能で、携帯電話メーカーを顕示しているマーク３４を固着する。上軸棒３１側面下端、及び下軸棒３２は、多面体設計であり、上軸棒３１上端側面は円形とする。
【００１０】
駆動部４０（図６参照）は、レンズホルダー３０を元の場所で回転させるもので、駆動されるレンズホルダー３０は１８０度往復回転し、駆動部４０作動のオンオフは、携帯電話パネル上のキーにより制御される。ウォームホイール４１を具える歯車孔４１０はレンズホルダー３０の上軸棒３１側面に合う形状を成し、歯車孔４１０を上軸棒３１に嵌合させると、ウォームホイール４１はレンズホルダー３０と共に連動する。モーター４２は、円筒ウォーム４３に力を伝えるもので、円筒ウォーム４３とウォームホイール４１は噛合している為、モーター４２は円筒ウォーム４３によりウォームホイール４１、レンズホルダー３０を駆動、回転させる。
【００１１】
定位部５０（図６参照）は、レンズホルダー３０の下軸棒３２上に固着、共に連動する補助歯車５１の相隣側面には弾性引掛部品５２を固設する。その弾性引掛部品５２の外側方向に突出した突出部５２０と補助歯車５１のねじ山は噛合する（図９参照）。補助歯車５１とレンズホルダー３０が回転もしくは停止する場合、弾性引掛部品５２の突出部５２０と補助歯車５１は噛合状態を保ち、レンズホルダー３０が停止した場合は即刻定位する。レンズホルダー３０の側面には外向きに突出した制動体３５を設け、レンズホルダー３０が１８０度角度移動した場合の移動制限をする制御体である。制動体３５の設計は、電子センサーとすることも可能であり、それは即ち、レンズホルダー３０側面と携帯電話２０機体内部にそれぞれ相対するセンサーを設け、二つのセンサーが接近した場合、駆動部４０を制御して停止させる。
【００１２】
前述構成要素を順序に基づいて組立てた図を、図５、図７、図８に示す。操作使用時、カメラ付き携帯電話２０のパネル上のキーをコントロールしてモーター４２を起動、そのモーター４２は円筒ウォーム４３によりウォームホイール４１を駆動回転させると、レンズホルダー３０、補助歯車５１も同時に回転、レンズホルダー３０のレンズ３３は携帯電話２０前方に向く（図１０参照）か後方に向く（図１１参照）かを制御される。レンズ３３が前方向にある場合は自分を撮ることができ、レンズ３３が後方向である場合はカメラ付き携帯電話２０後方の被写体を撮影できる。カメラ付き携帯電話２０の前方向もしくは後方向を選択可能なレンズ３３により、使用者の使用における異なる需要に応じることができる。レンズホルダー３０がある一定の場所まで移動すると、弾性引掛部品５２の突出部５２０が随時補助歯車５１に噛合し、レンズホルダー３０は即刻定位、任意移動不可能となる（図９参照）。レンズ３３が携帯電話正面を向いている場合、マーク３４は調度携帯電話の背面に位置し、逆の場合も同様である為、透明窓２２内のレンズホルダー３０は単調にならない。
【００１３】
続いて、前述実施例のレンズホルダー３０は電動によって駆動部４０を動かす方法であったが、図１２〜図１５に示す実施例（２）の駆動部４０は、手動方式によりレンズホルダー３０を回転させる為、実施例（１）における駆動部４０のモーター４２、円筒ウォーム４３及びウォームホイール４１の設置が不要となる。機体上端を上軸棒３１両側から機体後端において区分形成する区間には、一つの凹状位置移動用の凹溝２３を設ける。可動部２４の一端はレンズホルダー３０の上軸棒３１上端に固着、もう一方は凹溝２３内に寝かせた状態にする。手で可動部２４を１８０度位置移動させると、制御させるレンズホルダー３０、レンズ３３も同様に１８０度回転し、カメラ付き携帯電話２０正面位置（図１４参照）もしくは後方位置（図１５参照）にレンズ３３位置を調節する。
【００１４】
図１６〜１９に示す実施例（３）のとおり、実施例（２）の可動部２４は可動歯車２５に代替することも可能である。その可動歯車２５の一部歯車面は露出しており指で動かすことができ、使用者は可動歯車２５を動かすと、駆動されるレンズホルダー３０は回転、レンズ３３はカメラ付き携帯電話２０正面（図１８参照）もしくは後方位置（図１９参照）に制御される。
【００１５】
以上説明したように、本発明のカメラ付き携帯電話レンズ方向転換装置は、自分の撮影もしくは前方被写体の撮影に関わらず、モーターを見るだけで撮影でき、使用上非常に便利である。また、そのレンズは機体内に隠されており、携帯電話の外観には全体性がある。
【図面の簡単な説明】
【００１６】
【図１】第一種従来品カメラ付き携帯電話の正面図である。
【図２】第一種従来品カメラ付き携帯電話の背面図である。
【図３】第二種従来品カメラ付き携帯電話の正面図である。
【図４】第二種従来品カメラ付き携帯電話の側面図である。
【図５】本発明に関する実施例（１）の組立て立体図である。
【図６】本発明に関する実施例（１）の部分構造分解図である。
【図７】本発明に関する実施例（１）の部分構造正面図である。
【図８】本発明に関する実施例（１）の部分構造側面図である。
【図９】本発明に関する実施例（１）の部分構造底面図である。
【図１０】本発明に関する実施例（１）の操作使用平面図（１）である。
【図１１】本発明に関する実施例（１）の操作使用平面図（２）である。
【図１２】本発明に関する実施例（２）の構造立体図である。
【図１３】本発明に関する実施例（２）の部分構造立体図である。
【図１４】本発明に関する実施例（３）の操作使用平面図（１）である。
【図１５】本発明に関する実施例（３）の操作使用平面図（２）である。
【図１６】本発明に関する実施例（３）の構造立体図である。
【図１７】本発明に関する実施例（２）の部分構造分解図である。
【図１８】本発明に関する実施例（３）の操作使用平面図（１）である。
【図１９】本発明に関する実施例（３）の操作使用平面図（２）である。
【符号の説明】
【００１７】
１０  レンズ
１１  モーター
１２  切り口
１３  レンズホルダー
１３０  枢軸
２０  カメラ付き携帯電話
２１  収納部
２２  透明窓
３０  レンズホルダー
３１  上軸棒
３２  下軸棒
３３  レンズ
４０  駆動部
４１  ウォームホイール
４１０  歯車孔
４２  モーター
４３  円筒ウォーム
５０  定位部
５１  補助歯車
５２  弾性引掛部品
５２０  突出部
３５  制動体
３４  マーク
２３  凹溝
２４  可動部
２５  可動歯車
【図１】
2006323372.tif 000003
【図２】
2006323372.tif 000004
【図３】
2006323372.tif 000005
【図４】
2006323372.tif 000006
【図５】
2006323372.tif 000007
【図６】
2006323372.tif 000008
【図７】
2006323372.tif 000009
【図８】
2006323372.tif 000010
【図９】
2006323372.tif 000011
【図１０】
2006323372.tif 000012
【図１１】
2006323372.tif 000013
【図１２】
2006323372.tif 000014
【図１３】
2006323372.tif 000015
【図１４】
2006323372.tif 000016
【図１５】
2006323372.tif 000017
【図１６】
2006323372.tif 000018
【図１７】
2006323372.tif 000019
【図１８】
2006323372.tif 000020
【図１９】
2006323372.tif 000021